(57)【要約】【課題】バスバーと接続対象とを治具なしで溶接することのできるバスバーを提供する。【解決手段】バスバー１は、板状電極Ｐとレーザー溶接部を介して電気的に接続されることによって、導電体としての機能を果たすものである。そして、バスバー１は、板状電極Ｐとレーザー溶接部を介して電気的に接続される前の準備工程で、板状電極Ｐの挿入を通じて、当該板状電極Ｐを挟持することのできる有底筒状の電極側端部４、すなわち中空部１７を有するようにしている。【選択図】図２
2018049736.tif 000002
【特許請求の範囲】
【請求項１】
接続対象と溶接部を介して電気的に接続されることによって、導電体としての機能を果たすバスバーにおいて、
前記接続対象と前記溶接部を介して電気的に接続される前の状態で、前記接続対象の挿入を通じて、当該接続対象を挟持することのできる有底筒状の挟持部を有するバスバー。
【請求項２】
前記挟持部には、当該挟持部の外郭をなす周壁が設けられており、
前記周壁の内面には、前記挟持部に挿入された状態の前記接続対象を挟み込む対向面が設けられている請求項１に記載のバスバー。
【請求項３】
前記挟持部には、当該挟持部に前記接続対象を挿入する際に力を作用させるための部位である力作用部が設けられている請求項２に記載のバスバー。
【請求項４】
前記挟持部のうち、当該挟持部に前記接続対象が挿入可能なように開口する開口部を含む部位では、当該開口部に向かうほど前記対向面の隙間が大きくなるように構成されている請求項２又は請求項３に記載のバスバー。
【請求項５】
前記溶接部は、レーザー溶接部であって、
前記挟持部は、前記レーザー溶接部となる部位を含み、
前記レーザー溶接部となる部位は、他の部位と比較して肉厚が薄く構成されている請求項１〜請求項４のうちいずれか一項に記載のバスバー。
【請求項６】
前記溶接部は、アーク溶接部であって、
前記挟持部は、前記アーク溶接部となる部位を含み、
前記アーク溶接部となる部位は、他の部位と比較してアーク放電し易い形状に構成されている請求項１〜請求項４のうちいずれか一項に記載のバスバー。
【発明の詳細な説明】
【技術分野】
【０００１】
本発明は、バスバーに関する。
【背景技術】
【０００２】
配線用材料として用いられるバスバーは、インバータ等の電極である接続対象と電気的に接続されることによって、導電体としての機能を果たすものである。バスバーと接続対象とは、例えば、特許文献１に開示されるように、バスバー等とは別に用意される電極接続具を用いて電気的に接続される。
【０００３】
特許文献１に記載の電極接続具は、先端縁及び側端縁が一致するように重ね合わされた状態のインバータ等のパワーデバイスの板状電極と、接続用バスバーの板状電極とに対して、外周側から嵌合されるように用いられる。この場合、上記パワーデバイスと、上記接続用バスバーとの各板状電極は、電極接続具で密着されることによって、電気的に接続されている。
【先行技術文献】
【特許文献】
【０００４】
【特許文献１】特開２０１２−２２６９８０号公報
【発明の概要】
【発明が解決しようとする課題】
【０００５】
バスバーと接続対象とを電気的に接続する方法として、上記特許文献１に記載の電極接続具を用いる方法の他、バスバーと接続対象とを溶接によって電気的に接続する方法がある。ただし、バスバーと接続対象とを溶接によって電気的に接続する方法の場合、バスバーと接続対象とを溶接前に位置決めする必要がある。すなわち、溶接する場合であっても、上記特許文献１の電極接続具のような位置決め用治具を、バスバー等とは別に用意しなければいけない。
【０００６】
本発明は、こうした実情に鑑みてなされたものであり、その目的は、バスバーと接続対象とを治具なしで溶接することのできるバスバーを提供することにある。
【課題を解決するための手段】
【０００７】
上記課題を解決するバスバーは、接続対象と溶接部を介して電気的に接続されることによって、導電体としての機能を果たすものである。このバスバーは、接続対象と溶接部を介して電気的に接続される前の状態で、接続対象の挿入を通じて、当該接続対象を挟持することのできる有底筒状の挟持部を有している。
【０００８】
上記構成によれば、バスバーと接続対象との溶接前、接続対象は、バスバーが有する挟持部に挿入されることによって、バスバーに対して仮固定される。このように仮固定される場合、接続対象は、バスバーに対して位置決めもされる。これにより、バスバーと接続対象との溶接前、治具なしでも、バスバーに対して接続対象を仮固定するとともに位置決めするための機能を、挟持部によってバスバーに付加することができる。すなわちこの場合、バスバーと接続対象とを治具なしで溶接することができる。
【０００９】
具体的には、上記バスバーにおいて、挟持部には、当該挟持部の外郭をなす周壁が設けられており、周壁部の内面には、当該挟持部に挿入された状態の接続対象を挟み込む対向面が設けられるものである。
【００１０】
そして、上記バスバーにおいて、挟持部には、当該挟持部に接続対象を挿入する際に力を作用させるための部位である力作用部が設けられていることが望ましい。
上記構成によれば、挟持部に対して接続対象を挿入する際、作業者や作業装置によって、接続対象を挿入する際に必要な力が力作用部を通じて発生させられるようになる。これにより、バスバーと接続対象との溶接前、挟持部に対して接続対象を挿入する場合に、挿入作業を容易にするための機能を、挟持部の構成によってバスバーに付加することができる。
【００１１】
また、上記バスバーにおいて、挟持部のうち、当該挟持部に接続対象が挿入可能なように開口する開口部を含む部位では、当該開口部に向かうほど対向面の隙間が大きくなるように構成されていることが望ましい。
【００１２】
上記構成によれば、挟持部に対して接続対象を挿入する際、開口部に対する接続対象の位置決めが補助される。また、挟持部に対して接続対象を挿入する際、接続対象が挟持部の対向面に沿ってガイドされるように挿入が補助される。この場合、接続対象の挿入始めは、当該接続対象を挿入する際に必要な力を比較的小さくすることができる。これにより、バスバーと接続対象との溶接前、挟持部に対して接続対象を挿入する場合に、挿入作業を容易にするための機能を、挟持部の構成によってバスバーに付加することができる。
【００１３】
例えば、バスバーと接続対象とは、レーザー溶接によって溶接される。この場合、上記バスバーにおいて、溶接部は、レーザー溶接部であって、挟持部は、レーザー溶接部となる部位を含み、レーザー溶接部となる部位は、他の部位と比較して肉厚が薄く構成されていることが望ましい。
【００１４】
上記構成によれば、レーザー溶接部となる部位では、他の部位と比較して肉厚が薄く構成されているため、レーザー溶接によって溶接される際、レーザー光のエネルギー（熱）がバスバーと接続対象に伝達され易くなり、バスバーと接続対象とが好適に溶融されるようになる。これにより、バスバーと接続対象とをレーザー溶接する際、バスバーと接続対象との接合強度を高めるための機能を、挟持部の構成によってバスバーに付加することができる。
【００１５】
その他、バスバーと接続対象とは、アーク溶接によって溶接される。この場合、上記バスバーにおいて、溶接部は、アーク溶接部であって、挟持部は、アーク溶接部となる部位を含み、アーク溶接部となる部位は、他の部位と比較してアーク放電し易い形状に構成されていることが望ましい。
【００１６】
上記構成によれば、アーク溶接部となる部位では、他の部位と比較してアーク放電し易い形状に構成されているため、アーク溶接によって溶接される際、アーク放電を生じさせ易くなり、バスバーと接続対象とが好適に溶融されるようになる。これにより、バスバーと接続対象とをアーク溶接する際、バスバーと接続対象との接合強度を高めるための機能を、挟持部の構成によってバスバーに付加することができる。
【発明の効果】
【００１７】
本発明によれば、バスバーと接続対象とを治具なしで溶接することができる。
【図面の簡単な説明】
【００１８】
【図１】第１実施形態のバスバーについてその概略構成を示す斜視図。
【図２】同バスバーについてその概略構成を示す斜視図。
【図３】図１及び図２におけるＩＩＩ−ＩＩＩ線断面図。
【図４】同バスバーについて板状電極が挿入される様子を示す図。
【図５】（ａ），（ｂ）は同バスバーについてその電極側端部（中空部）に板状電極が挿入される様子を示す断面図。
【図６】同バスバーと板状電極とをレーザー溶接する際の態様を示す図。
【図７】第２実施形態のバスバーについてその概略構成を示す斜視図。
【図８】同バスバーと板状電極とをＴＩＧ溶接する際の態様を示す図。
【図９】変形例のバスバーについてその電極側端部の構成を示す断面図。
【発明を実施するための形態】
【００１９】
（第１実施形態）
以下、バスバーの第１実施形態を説明する。
図１に示すように、バスバー１は、例えば、直流電源Ｖと直接的又は間接的に接続される電極を構成するものであり、インバータＩｎｖの板状電極Ｐと電気的に接続されることによって、導電体としての機能を果たすものである。バスバー１は、銅等の導電性を有する金属材料からなる。本実施形態のバスバー１は、銅粉末を含む金属粉末を材料とした金属粉末射出成形、所謂、ＭＩＭ（ミム）により、製造されるものである。
【００２０】
具体的には、バスバー１は、長辺及び短辺を有する直方体状の本体部２を備えている。以下の説明では、本体部２の長手方向を「延出方向」と言い、本体部２の短手方向を「幅方向」と言い、本体部２の長手方向及び短手方向に直交する方向を「肉厚方向」と言う。この場合、本体部２は、幅方向と比較して肉厚方向が小さい薄板状をなしていると言える。本体部２の延出方向の端部２ａ，２ｂには、電源側端部３と、電極側端部４とが設けられている。
【００２１】
電源側端部３は、本体部２の端部２ａにおいて、長辺側の一端から当該本体部２の幅方向に延びている。電源側端部３は、本体部２の延出方向に厚みを有し、本体部２の肉厚方向に幅を有する薄板状をなしている。
【００２２】
電極側端部４は、本体部２の端部２ａの反対側の端部２ｂにおいて、短辺側の一端から当該本体部２の延出方向に沿って延びている。電極側端部４は、本体部２の肉厚方向に膨出する筒状をなしている。
【００２３】
そして、電源側端部３は、直流電源Ｖにボルト等を介して連結されている。電極側端部４は、レーザー溶接によって、インバータＩｎｖの電極である板状電極Ｐと電気的に接続される。本実施形態において、電極側端部４は挟持部の一例であり、インバータＩｎｖの板状電極Ｐは接続対象の一例である。
【００２４】
次に、電極側端部４の構成について詳しく説明する。
図１及び図２に示すように、電極側端部４には、当該電極側端部４の外郭をなす周壁Ｗが設けられている。周壁Ｗは、本体部２の肉厚方向に対向する側壁１２，１３と、側壁１２，１３を本体部２の延出方向の両側で連結する端壁１４，１５と、側壁１２，１３及び端壁１４，１５を本体部２の幅方向の一方側で連結する底壁１６とを有している。そして、電極側端部４の内部には、周壁Ｗの内面によって囲まれてなる中空部１７が設けられている。中空部１７は、電源側端部３が延びる方向とは反対側の一方に開口する開口部１７ａを有し、本体部２の幅方向に深さを有する有底筒状をなしている。
【００２５】
側壁１２，１３のうち、一方の側壁１２（図１中、手前側（図２中、奥側））には、電極側端部４の外方から内方に向かって凹んだ凹部１８が設けられている。これにより、側壁１２のうち、凹部１８に対応する部位の肉厚（本体部２の肉厚方向の大きさ）は、他の部位と比較して薄く（小さく）なるように設定されている。この凹部１８に対応する部位の肉厚は、側壁１３の何れの部位と比較しても薄くなるように設定されている。
【００２６】
また、底壁１６において、開口部１７ａとは反対側の外面１６ａは、中空部１７の深さ方向に直交する方向に対して平坦に設けられている。本実施形態では、本体部２の長辺側の一端と、外面１６ａとは、面一に構成されている。本実施形態において、底壁１６の外面１６ａは力作用部の一例である。
【００２７】
また、底壁１６の略中央には、底壁１６の内外を連通する連通孔１６ｂが設けられている。なお、連通孔１６ｂの開口領域は、開口部１７ａの開口領域と比較して小さく設定されている。
【００２８】
ここで、中空部１７の構成についてさらに詳しく説明する。
図２に示すように、開口部１７ａにおいて、本体部２の延出方向の大きさである端壁１４，１５の隙間は、板状電極Ｐの幅と略同一（若干大きく）設定されている。また、端壁１４，１５の内面である対向面１４ａ，１５ａは、中空部１７の深さ方向に対して平坦に設けられている。これにより、端壁１４，１５の対向面１４ａ，１５ａの隙間は、開口部１７ａから連通孔１６ｂの間で一定の大きさに維持されるように構成されている。
【００２９】
一方、図３に示すように、開口部１７ａにおいて、本体部２の肉厚方向の大きさである側壁１２，１３の隙間Ｄ１は、板状電極Ｐの肉厚Ｄ０（図中、仮想円内に示す）と比較して大きく設定されている。また、側壁１２，１３の内面である対向面１２ａ，１３ａは、中空部１７の深さ方向に沿って、側壁１２の凹部１８に対応する部位において最接近し、開口部１７ａ及び連通孔１６ｂに対応する部位に向かうほど離間するように設けられている。この最接近する場合の対向面１２ａ，１３ａの隙間Ｄ２は、板状電極Ｐの肉厚Ｄ０と比較して若干小さく設定されている。これにより、中空部１７のうち、開口部１７ａから側壁１２の凹部１８に対応する部位の間の開口部１７ａを含む部位では、当該開口部１７ａに向かうほど側壁１２，１３の対向面１２ａ，１３ａの隙間が大きくなるように構成されている。
【００３０】
以下、バスバー１と板状電極Ｐとを溶接する工程について説明する。この工程には、実際の溶接前の準備工程と、実際に溶接するレーザー溶接工程との大きく２つの工程がある。
【００３１】
図４、図５（ａ）、及び図５（ｂ）に示すように、準備工程では、電極側端部４の中空部１７（バスバー１）に対して板状電極Ｐを挿入することによって、バスバー１に対して板状電極Ｐを仮固定する。
【００３２】
図４に示すように、電極側端部４と、板状電極Ｐとは、中空部１７の開口部１７ａの長手方向及び短手方向と、板状電極Ｐの先端の長手方向及び短手方向とがそれぞれ一致するように、対向させた状態で配置される。
【００３３】
そして、中空部１７に対して板状電極Ｐが挿入される。この場合、電極側端部４の底壁１６の外面１６ａを作業者や作業装置が押さえる等して、板状電極Ｐを挿入する際に必要な力である板状電極Ｐの挿入方向に対向する力を発生させる。この発生させる力によって、開口部１７ａから底壁１６に達する奥まで板状電極Ｐが挿入されていく。
【００３４】
具体的には、図５（ａ）に示すように、開口部１７ａから側壁１２の凹部１８に対応する部位の間の開口部１７ａを含む部位において、側壁１２，１３の対向面１２ａ，１３ａに対して板状電極Ｐの先端が当接させられる。これにより、電極側端部４に対して板状電極Ｐの挿入が位置決めされる。
【００３５】
続いて、開口部１７ａから側壁１２の凹部１８に対応する部位の間の開口部１７ａを含む部位では、側壁１２，１３の対向面１２ａ，１３ａを板状電極Ｐの先端が沿うようにして、板状電極Ｐが挿入されていく。これにより、電極側端部４に対する板状電極Ｐの挿入が無理なくガイドされる。このガイドによって、電極側端部４に対する板状電極Ｐの挿入が比較的小さな力で無理なく実施される。
【００３６】
続いて、側壁１２の凹部１８に対応する部位では、側壁１２，１３の対向面１２ａ，１３ａによって作られる板状電極Ｐの肉厚と比較して小さい隙間に対して、板状電極Ｐがその先端から順に圧入されていく。
【００３７】
そして、図５（ｂ）に示すように、底壁１６の内面に板状電極Ｐの先端が達する場合、中空部１７の奥まで板状電極Ｐの挿入が完了する。この場合、中空部１７の側壁１２，１３の対向面１２ａ，１３ａ（特に側壁１２の凹部１８に対応する部位）は、本体部２の肉厚方向の両側から板状電極Ｐを締め付けるように挟み込む。すなわち、板状電極Ｐは、側壁１２，１３の対向面１２ａ，１３ａによって挟持される。これにより、電極側端部４（バスバー１）に対して挿入された板状電極Ｐが仮固定されるとともに位置決めされる。
【００３８】
なお、図５（ｂ）の矢視Ａで示すように、底壁１６の連通孔１６ｂを通じて中空部１７内部の状態を作業者や作業装置が検出する等して、中空部１７の奥まで板状電極Ｐの挿入が完了しているか否かを確認する。この確認によって、中空部１７の奥まで板状電極Ｐの挿入が完了している場合、準備工程が完了する。
【００３９】
また、図５（ｂ）及び図６に示すように、この準備工程の完了後、板状電極Ｐは、側壁１２，１３の対向面１２ａ，１３ａに挟持されることによって挿入方向に抜け落ちないように仮固定される。同様に、板状電極Ｐは、端壁１４，１５の対向面１４ａ，１５ａに囲まれることによって挿入方向以外の方向にグラついて揺動したりもしないように仮固定される。同様に、板状電極Ｐは、底壁１６によって挿入方向にそれ以上は進まないように仮固定される。すなわち、本実施形態において、準備工程の完了後、電極側端部４（バスバー１）に対して仮固定された板状電極Ｐは、仮に動くとすれば挿入方向に抜け落ちる方向にしか動くことがなく、それ以外の方向の動きについては中空部１７を構成する側壁１２，１３、端壁１４，１５、及び底壁１６によって効果的に規制がなされている。
【００４０】
図６に示すように、準備工程の完了後、レーザー溶接工程では、バスバー１における電極側端部４の側壁１２に対してレーザー光を照射することによって、バスバー１と板状電極Ｐとをレーザー溶接する。
【００４１】
レーザー溶接では、溶接対象であるバスバー１及び板状電極Ｐに、図示しない電源に接続されるレーザー発生源３０のレーザー光のエネルギー（熱）を与えてバスバー１及び板状電極Ｐを溶融させることにより接合させる。バスバー１及び板状電極Ｐは、電極側端部４の側壁１２の凹部１８が設けられる範囲、すなわち側壁１２の肉厚が薄い部位がレーザー光の照射範囲となるように配置される。なお、レーザー光は、凹部１８における本体部２の延出方向の一方の端から他方の端まで移動しながら当該凹部１８の部位を溶融させていく。
【００４２】
レーザー溶接後のバスバー１及び板状電極Ｐは、レーザー光の照射範囲である凹部１８周辺が溶融され、この凹部１８周辺の部位が溶融されてなるレーザー溶接部を介して互いに接合される。
【００４３】
以上に説明した本実施形態によれば、以下に示す作用及び効果を奏する。
図５（ｂ）に示すように、バスバー１と板状電極Ｐとの溶接前の準備工程において、板状電極Ｐは、バスバー１が有する電極側端部４の中空部１７に挿入されることによって、バスバー１に対して仮固定される。このように仮固定される場合、板状電極Ｐは、バスバー１に対して位置決めもされる。これにより、準備工程において、治具なしでも、バスバー１に対して板状電極Ｐを仮固定するとともに位置決めするための機能を、電極側端部４の外郭を構成する側壁１２，１３の対向面１２ａ，１３ａによってバスバー１に付加することができる。すなわちこの場合、レーザー溶接工程では、バスバー１と板状電極Ｐとを治具なしで溶接することができる。
【００４４】
また、図５（ａ）に示すように、準備工程において、電極側端部４に対して板状電極Ｐを挿入する際、作業者や作業装置によって、板状電極Ｐを挿入する際に必要な力が、底壁１６の外面１６ａを通じて発生させられるようになる。これにより、準備工程において、電極側端部４に対して板状電極Ｐを挿入する場合に、挿入作業を容易にするための機能を、電極側端部４の構成である底壁１６の外面１６ａによってバスバー１に付加することができる。
【００４５】
同じく、図５（ａ）に示すように、準備工程において、電極側端部４に対して板状電極Ｐを挿入する際、開口部１７ａに対する接続対象の位置決めが補助される。また、電極側端部４に対して板状電極Ｐを挿入する際、板状電極Ｐの先端が側壁１２，１３の対向面１２ａ，１３ａに沿ってガイドされるように挿入が補助される。この場合、板状電極Ｐの挿入始めは、当該板状電極Ｐを挿入する際に必要な力を比較的小さくすることができる。これにより、準備工程において、挟持部に対して接続対象を挿入する場合に、挿入作業を容易にするための機能を、電極側端部４の構成である側壁１２，１３の対向面１２ａ，１３ａによってバスバー１に付加することができる。
【００４６】
そして、図６に示すように、レーザー溶接工程において、レーザー溶接部となる電極側端部４の凹部１８では、他の部位と比較して肉厚が薄く構成されているため、レーザー溶接によって溶接される際、レーザー光のエネルギー（熱）がバスバー１と板状電極Ｐに伝達され易くなり、バスバー１と板状電極Ｐとが好適に溶融されるようになる。これにより、バスバー１と板状電極Ｐとをレーザー溶接する際、バスバー１と板状電極Ｐとの接合強度を高めるための機能を、電極側端部４の構成である側壁１２の凹部１８によってバスバー１に付加することができる。
【００４７】
（第２実施形態）
次に、バスバーの第２実施形態について説明する。なお、既に説明した実施形態と同一構成などは、同一の符号を付すなどして、その重複する説明を省略する。
【００４８】
図７に示すように、本実施形態において、電極側端部４の側壁１２，１３のうち、一方の側壁１２（図中、手前側）には、側壁１２の内外を連通する連通孔１２ｂが設けられている。
【００４９】
また、底壁１６において、開口部１７ａとは反対側の外面１６ａには、中空部１７の深さ方向に突出するターゲット部１６ｃが設けられている。ターゲット部１６ｃは、外面１６ａを本体部２の肉厚方向に横切るように延びている。
【００５０】
以下、本実施形態において、バスバー１と板状電極Ｐとを溶接する工程について説明する。本実施形態の電極側端部４は、アーク溶接の一種であるＴＩＧ（Tungsten Inert Gas）溶接（ティグ溶接）によって、インバータＩｎｖの電極である板状電極Ｐと電気的に接続される。すなわち、本実施形態の溶接する工程には、実際の溶接前の準備工程と、実際に溶接するＴＩＧ溶接工程との大きく２つの工程がある。
【００５１】
本実施形態の準備工程では、図７の矢視Ｂで示すように、側壁１２の連通孔１２ｂを通じて中空部１７内部の状態を作業者や作業装置が検出する等して、中空部１７の奥まで板状電極Ｐの挿入が完了している場合、準備工程が完了する。
【００５２】
図８に示すように、準備工程の完了後、ＴＩＧ溶接工程では、バスバー１における電極側端部４の底壁１６に対して溶接用電極を接近させることによって、バスバー１と板状電極ＰとをＴＩＧ溶接する。
【００５３】
ＴＩＧ溶接では、溶接対象であるバスバー１及び板状電極Ｐに、図示しない電源に接続される溶接用電源４０に接続されるタングステンからなる溶接用電極４０ａがアーク放電を発生させてバスバー１及び板状電極Ｐを溶融させることにより接合させる。バスバー１及び板状電極Ｐは、ターゲット部１６ｃが設けられる電極側端部４の底壁１６のターゲット部１６ｃの部位がアーク放電の発生部となるように配置される。なお、アーク放電は、溶接用電極４０ａと、当該溶接用電極４０ａに対して底壁１６のうちで最接近するターゲット部１６ｃの部位との間に発生する。
【００５４】
ＴＩＧ溶接後のバスバー１及び板状電極Ｐは、アーク放電の発生部であるターゲット部１６ｃ周辺が溶融され、このターゲット部１６ｃ周辺の部位が溶融されてなるアーク溶接部を介して互いに接合される。
【００５５】
以上に説明した本実施形態によれば、上記第１実施形態の作用及び効果に加えて、以下の作用及び効果を得ることができる。
図８に示すように、ＴＩＧ溶接工程において、アーク溶接部となる電極側端部４の底壁１６の特にターゲット部１６ｃでは、他の部位と比較して溶接用電極４０ａに接近するように構成されているため、ＴＩＧ溶接によって溶接される際、アーク放電を生じさせ易くなり、バスバー１と板状電極Ｐとが好適に溶融されるようになる。これにより、バスバー１と板状電極ＰとをＴＩＧ溶接する際、バスバー１と板状電極Ｐとの接合強度を高めるための機能を、電極側端部４の構成である底壁１６のターゲット部１６ｃによってバスバー１に付加することができる。
【００５６】
なお、上記各実施形態は、以下の形態にて実施することもできる。
・図９に示すように、第１実施形態において、側壁１２，１３のうち、凹部１８が設けられていない側壁１３の対向面１３ａには、当該対向面１３ａから対向面１２ａ側に突出する複数の突起１３ａａを設けるようにしてもよい。この場合、レーザー溶接の際にレーザー光が照射される側である側壁１２に対して、板状電極Ｐを押し付けることができる。これにより、レーザー溶接によって溶接される際、レーザー光のエネルギー（熱）がバスバー１と板状電極Ｐにより好適に伝達されるようになる。これにより、バスバー１と板状電極Ｐとをレーザー溶接する際、バスバー１と板状電極Ｐとの接合強度をさらに高めるための機能を、電極側端部４の構成である側壁１３の対向面１３ａ（突起１３ａａ）によってバスバー１に付加することができる。なお、上記突起１３ａａの形状は、平面視で丸状や四角状等問わない。同様に、上記突起１３ａａの数は、大きさや形状によっては複数でなく単数であってもよい。同様に、上記突起１３ａａの配置は、規則的であるか不規則的であるかは問わない。
【００５７】
・第１実施形態では、レーザー溶接に替えて、電子ビーム溶接を採用してもよい。なお、電子ビーム溶接では、レーザー溶接と比較して大きいエネルギー（熱）を生じさせられることが知られている。そのため、電子ビーム溶接では、レーザー溶接と比較して分厚い（エネルギーが伝達され難い）ものも溶接対象とすることができる。したがって、本変形例では、側壁１２に凹部１８が設けられていない場合であっても、レーザー溶接の場合と同様の接合強度を確保することができる場合がある。そのため、電子ビーム溶接を採用する場合には、側壁１２に凹部１８が設けられていることは必須ではなく、当該凹部１８が設けられてないようにすることができる。ただし、側壁１２（バスバー１）の強度が確保可能であれば、側壁１２全体が凹部１８程度の薄さの肉厚で構成されていてもよい。この場合、レーザー溶接を採用したとしても、側壁１２に凹部１８が設けられないようにすることができる。
【００５８】
・第２実施形態では、ＴＩＧ溶接に替えて、抵抗溶接等、アーク放電を利用する溶接を採用してもよい。この場合であっても、第２実施形態に準じた作用及び効果を奏することができる。なお、第２実施形態では、溶接対象と溶接電極の関係からアーク放電の発生部のコントロールが可能な仕様であれば、底壁１６にターゲット部１６ｃが設けられないようにすることができる。
【００５９】
・第２実施形態において、ターゲット部１６ｃは、底壁１６の外面１６ａから突出されるように構成されていればよく、その形状は断面が丸や四角の柱状等問わない。
・各実施形態において、側壁１２，１３の内面である対向面１２ａ，１３ａの隙間は、全体的に板状電極Ｐの肉厚Ｄ０と比較して若干小さく設定されるようにしてもよい。すなわち、側壁１２，１３の対向面１２ａ，１３ａの隙間は、開口部１７ａから連通孔１６ｂの間で一定の大きさに維持されるように構成されていてもよい。
【００６０】
・各実施形態において、底壁１６の外面１６ａは、作業者や作業装置が力を作用させることができる形状を有していればよく、平坦ではなく凸凹を有していてもよい。また、これに替えて、力作用部に相当する構成が、側壁１２，１３に設けられていてもよい。なお、電極側端部４への板状電極Ｐの挿入の際に他の構成によって力を好適に作用させることができるように構成されている場合には、力作用部に相当する構成が設けられていなくてもよい。
【００６１】
・各実施形態では、準備工程の完了を確認するための連通孔１２ｂ，１６ｂが設けられる位置を、仕様等に合わせて変更してもよい。例えば、各実施形態の間で配置の構成を入れ替えて構成してもよい。その他、連通孔１２ｂ，１６ｂが設けられないように構成してもよく、この場合、例えば、板状電極Ｐが挿入されている長さや確認用の力を作用させる等して、準備工程の完了を確認すればよい。
【００６２】
・各実施形態において、バスバー１に接続する接続対象の形状は、断面が丸や四角の棒状の端子等問わない。この場合、接続対象の形状に合わせて、電極側端部４の外郭であったり中空部１７の形状であったりを変更する。例えば、接続対象が断面が丸の棒状の端子の場合、電極側端部４の外郭が円筒状をなすように、周壁Ｗが構成されていればよい。その他、電極側端部４の外郭は変更しなくても、円筒状の中空部１７を構成するように周壁Ｗの内面が構成されていればよい。この場合、電極側端部４に挿入された断面が丸の棒状の端子は、当該端子の径方向において対向する周壁Ｗの内面に挟持されていればよい。なお、断面が丸の棒状の端子を挟持する構成は、周壁Ｗの内面の周方向に連続的であるか非連続的であるかは問わない。
【符号の説明】
【００６３】
１…バスバー、２…本体部、３…電源側端部、４…電極側端部、１２…側壁、１２ａ…対向面、１２ｂ…連通孔、１３…側壁、１３ａ…対向面、１３ａａ…突起、１４…端壁、１４ａ…対向面、１５…端壁、１５ａ…対向面、１６…底壁、１６ａ…外面、１６ｂ…連通孔、１６ｃ…ターゲット部、１７…中空部、１７ａ…開口部、１８…凹部、３０…レーザー発生源、４０…溶接用電源、４０ａ…溶接用電極。
【図１】
2018049736.tif 000003
【図２】
2018049736.tif 000004
【図３】
2018049736.tif 000005
【図４】
2018049736.tif 000006
【図５】
2018049736.tif 000007
【図６】
2018049736.tif 000008
【図７】
2018049736.tif 000009
【図８】
2018049736.tif 000010
【図９】
2018049736.tif 000011